(57)【要約】      （修正有）【課題】細かい表現が可能で、取り替えが容易なホルダー付きニードルを提供する。【解決手段】ホルダーを保持するニードルの長さの略半分又はそれ以下の長さで長さ方向に沿って係脱具により互いに係脱可能な一対の対向部材１，２により分割形成すると共に、各対向部材１，２の内面にニードル基端部を保持する保持部３，４を設けて、該保持部３，４にニードル基端側を保持させ、対向部材１，２を係脱具６，７により係着してホルダーにニードルを保持固定せしめる。【選択図】図３
0003151522.tif 000002
【実用新案登録請求の範囲】
【請求項１】
ニードル基端側をホルダーにより保持固定せしめたホルダー付きニードルにおいて、上記ホルダーを、保持するニードルの長さの略半分又はそれ以下の長さで長さ方向に沿って係脱具により互いに係脱可能な一対の対向部材により分割形成すると共に、各対向部材の内面にニードル基端部を保持する保持部を設けて、該保持部にニードル基端側を保持させ、対向部材を係着してホルダーにニードルを保持固定せしめるようになしたことを特徴とするホルダー付きニードル。
【請求項２】
一対の対向部材を互いに頂部において連結し、折り返しにより係着してホルダーを形成するようにした請求項１記載のホルダー付きニードル。
【請求項３】
ホルダーにより保持固定するニードルが１本乃至複数本である請求項１または２記載のホルダー付きードル。
【考案の詳細な説明】
【技術分野】
【０００１】
本考案は羊毛繊維のまとまりに突き刺し、繊維同士を互いに絡めて硬化し、フェルト化して種々の形状の小物を作成するためのフェルティングニードル（以下、単にニードルという）に係り、就中、ニードルを固定するホルダー付きニードルに関するものである。
【背景技術】
【０００２】
近時、手芸操作として羊毛繊維にフェルティングニードルを突き刺し繊維同志を互いに絡め合わせて硬化し種々の小物商品を作成することが行われているが、ニードルを直接、手で持って作業するときは、手で持ったことによって微妙な力加減ができ、細かい表現に向いている反面、細かい鉄の部分を指で固定し続けることにより、指から手，腕に至るまで疲れて長時間の作業をすることができない難点があった。
【０００３】
そこで、図７に示す如きホルダーを取り付けた柄付きの固定ニードルや図８に示す如き柄付きで取り替え可能な複数本タイプのニードルが現在チューリップ株式会社等より販売されているとともに、同じく複数本のニードルをグリップ部材（ホルダー）に取り付けた手芸用ニードルも提案されている。（例えば特許文献１参照）
【先行技術文献】
【特許文献】
【０００４】
【特許文献１】特開２００４−３０８０４６号公報
【考案の概要】
【考案が解決しようとする課題】
【０００５】
しかし、上記販売され、提案されている各柄付きニードルは、柄の部分が長く、柄の部分を手で把持し固定して作業をするにあたり手や腕は疲れないが、手の力が針先に必要以上にかかるため、針先が曲がったり折れたりする要因になると共に、作品作りに最も必要な微妙な力加減であったり、針先を伝わる微妙な感覚が柄の部分が長いと伝わり難い問題があった。
【０００６】
本考案は上述の如き実情に鑑み、これに対処してホルダーの長さをニードルの長さに合わせ、適合した形態を見出すと共に、ニードル折損時の取り替えの便利さを加えることによりホルダーを使用し、従来のニードルだけを使って作業していたときと同じような微妙な感覚が伝わり、細かい表現も可能とすると共にニードル取り替えの便を図ることを目的とするものである。
【課題を解決するための手段】
【０００７】
即ち、上記目的に適合する本考案は、ニードル基端側をホルダーにより保持固定せしめたホルダー付きニードルにおいて、上記ホルダーを、保持するニードルの長さの略半分又はそれ以下の長さで、かつ長さ方向に沿って係脱具により互いに係脱可能な一対の対向部材により分割形成すると共に、各対向部材の内面にニードル基端側を対向して保持する保持部を設けて、該保持部にニードル基端側を保持させ対向部材を係着してホルダーにニードルを保持固定せしめるようになしたホルダー付きニードルである。
【０００８】
ここで、対向する一対の対向部材は各別に分割された一対の対向部材を互いに頂点において連結し折り返しにより互いに係着させてホルダーを形成するようにしてもよい。またホルダーにより保持固定されるニードルは１本であってもよいが、複数本を同時に保持固定することも好適である。
【考案の効果】
【０００９】
本考案は上記の如くニードルをしっかり固定する専用のホルダーを有すると共に、該ホルダーの長さをニードルの長さの略半分またはそれ以下として従来のホルダーより短くし、ホルダーの後端部を持ち手で平面的に押圧容易としているので適度な力で作業して疲れが少なく、長時間の作業に耐えることができると共に、ホルダーの長さをニードル本体の長さに合わせているのでニードルだけを使って作業していた時と同じような微妙な力加減や作品作りに欠かせない微妙な感覚が伝わり、細かい表現も可能となる外、ホルダーの長さが短かいことから長い柄（ホルダー）を使用することによる針先の折れや曲がりも少なくなる効果を有する。また係脱可能な一対の部材により形成されているため、針先が折れたり曲がった場合の取り替えも頗る容易である。
【図面の簡単な説明】
【００１０】
【図１】本考案に係るホルダー付きニードルの外観概要図であり、（イ）は正面図、（ロ）は平面図である。
【図２】本考案におけるホルダーの外観を示し、（イ）は正面図、（ロ）は側面図である
【図３】本考案におけるホルダーを形成する一対の分割対向部材の正面図で、（イ）は図１の上部側対向部材、（ロ）は下部側対向部材を示す。
【図４】上記一対の対向部材の各内面を示す平面図で、（イ）は上部側対向部材、（ロ）は下部側対向部材である。
【図５】本考案におけるホルダーの変形態様を示す平面図で、（イ）は上部側対向部材、（ロ）は下部側対向部材である。
【図６】本考案における他のホルダーの変形実施態様で、（イ）は正面図、（ロ）は平面図である。
【図７】既知のホルダー付きニードル例を示す図である。
【図８】もう１つの既知のホルダー付きニードル例を示す図である。
【考案を実施するための最良の形態】
【００１１】
以下、更に添付図面を参照して本考案の具体的な形態を説明する。図１は本考案ニードルの外観概要図示し、先端側にニードルＮを突出せしめてニードルＮの長さの半分以下の長さでホルダーＡがニードル基端側を内部に保持固定せしめてニードルＮに取り付けられており、露出したニードルＮ先端側を被覆して保護キャップＢが安全のために被着されている。なお、図中のａはホルダー外周に上下左右の４個所に形成された凹みであって、作業時、ホルダーを持ち易くするために作られている。
【００１２】
図２〜図４は上記ホルダー付きニードルにおいて、特に本考案の特徴をなすホルダーを示す図であり、、図２〜図４の各（イ），（ロ）に示す如く、本考案におけるホルダーＡは保持するニードルの長さの略半分か、またはそれ以下の比較的短い長さで、しかもホルダー長さ方向に沿って、図中の中央の分割線ｂにより上下に分割可能に一対の対向部材１，２によって形成されている。
【００１３】
この一対の対向部材は図３，図４に示すように内部にニードルを保持する溝３，４からなる保持部が夫々、図では２列づつ設けられて２本のニードルが保持されるようになっており、その一方の対向部材１の溝３にはニードル先端の屈曲部を固定するための凹部５が形成されていて、ニードルを挿入時、該凹部５にニードル先端の屈曲部を挿入して溝３内を通じてニードルを保持せしめるようになっている。なお、図ではニードルを２本保持せしめているが、ニードル保持は１本でもよく、また、３本以上でもよく、これに応じて夫々、ニードル挿入用の溝が形成される。
【００１４】
一方、この一対の対向部材１，２には対向させてホルダーとして一体化するとき、両部材を係着するため係脱可能な係着具が、図では左右夫々３個の凸部６と凹部７によって設けられており、この凹凸嵌着によって一対の対向部材１，２によりホルダーＡとして形成される。なお、係脱可能な係脱具としては凹凸部による嵌合着に限らず、互いに係止し合う雌雄の掛止型構造のもの等であってもよい。
【００１５】
かくして一対の両対向部材１，２を係着し、ニードルを内部に保持固定させてホルダー付きニードルとして使用し、使用を終えると図１に示す保護キャップＢを突出したニードルに被着して保管する。なお、ニードルが折れたり、曲がったときは随時両対向部材１，２の係着をはずし図２における軸線に沿って対向部材１，２を上下に分割してニードル取り替えを行う。
【００１６】
図５は上記ホルダーの変形実施例であり、一対の対向部材１，２の内部にニードル保持部として互いに上部に凹部を形成した仕切り部材８，９を対向する如く配設すると共に、ニードルの上部屈曲部を挿入する挿入孔１０を設けることによって形成されている。
【００１７】
そして、この一対の対向部材１，２を一体化するための係脱具としてホルダーＡの先端側と基端側の夫々に互いに掛合して一体化するための掛止部材１１，１２及び１３，１４が設けられ、保持部にニードルを保持した後、掛止部材１１，１２を対応する掛止部材１３，１４に掛止して一体化しホルダー付きニードルとして形成する。
【００１８】
図６は更に本考案の他の実施態様であり、前述のものが夫々、分割された各別の対向部材１，２を対合することによりホルダーとして一体形成するのに対し、両対向部材１，２を互いに頂部において連結する連結部１５を設けて連結形成し、折り返すことにより互いに係脱具を係着してホルダーとして形成するものである。この場合、各対向部材１，２の内部構成は図２〜図４に示す構造と同じ構造となっているが、別段、これに拘束されることなく随時、係脱可能な構造を用いることも可能である。
【００１９】
本考案ホルダー付きニードルは以上のようにして構成され、例えば球状にした羊毛繊維に突き刺し繊維を互いに絡め合わせて硬化させ、手芸操作により動物形状，果実形状，菓子形状等の各種小作品を作成することができる。このとき、本考案におけるニードルは１本でも２本又は３本でも使用可能であるため作品に合わせて使用することができる。
【００２０】
特に２本使用の場合、２本の間隔を近づけ過ぎるとニードルの針先の抵抗が大きくなり、羊毛に奥深く刺さらない難点があり、逆に間隔を広げ過ぎると細かい作業に適しなくなる。従って２本の場合にはこの２本の間隔を絶妙な間隔に設定することが必要であり、これにより各種作品作りに使用でき、しかも作業時間も大幅に短縮することができる。
【００２１】
現在、フェルティングニードル使用の分野は手芸において大きな分野を占めており、今後も益々広がることが期待できることから本考案ホルダー付きニードルの果たす役割は頗る重要である。
【符号の説明】
【００２２】
Ａ：ホルダー
Ｎ：ニードル
１，２：対向部材
３，４：ニードル保持溝（保持部）
５：ニードル屈曲部挿入凹部
６：係脱用凸部
７：係脱用凹部
８，９：仕切り部材
１０：挿入孔
１１，１２，１３，１４：掛止部材
１５：連結部
【図１】
0003151522.tif 000003
【図２】
0003151522.tif 000004
【図３】
0003151522.tif 000005
【図４】
0003151522.tif 000006
【図５】
0003151522.tif 000007
【図６】
0003151522.tif 000008
【図７】
0003151522.tif 000009
【図８】
0003151522.tif 000010
【手続補正書】
【提出日】平成21年4月15日(2009.4.15)
【手続補正１】
【補正対象書類名】明細書
【補正対象項目名】００１１
【補正方法】変更
【補正の内容】
【００１１】
以下、更に添付図面を参照して本考案の具体的な形態を説明する。図１は本考案ニードルの外観概要図を示し、先端側にニードルＮを突出せしめてニードルＮの長さの半分以下の長さでホルダーＡがニードル基端側を内部に保持固定せしめてニードルＮに取り付けられており、露出したニードルＮ先端側を被覆して保護キャップＢが安全のために被着されている、なお、図中のａはホルダー外周に上下左右の４個所に形成された凹みであって、作業時、ホルダーを持ち易くするために作られている。
【手続補正２】
【補正対象書類名】実用新案登録請求の範囲
【補正対象項目名】請求項３
【補正方法】変更
【補正の内容】
【請求項３】
ホルダーにより保持固定するニードルが１本乃至複数本である請求項１または２記載のホルダー付きニードル。